(57)【特許請求の範囲】
【請求項１】
筐体、
両面が見えるように、前記筐体に設けられる透明なディスプレイ、
前記ディスプレイに設けられた第１タッチパネル、
前記ディスプレイにおいて、前記第１タッチパネルが設けられた側の裏側に設けられた第２タッチパネル、
前記第１タッチパネルおよび前記第２タッチパネルとは異なり、前記筐体において前記第２タッチパネルが設けられる面に設けられる近接センサ、
前記第１タッチパネルおよび前記第２タッチパネルに対するタッチ入力を検出する検出部、
前記第１タッチパネルにタッチ入力がされたとき、第１機能を実行する第１実行部、
前記第２タッチパネルにタッチ入力がされたとき、第２機能を実行する第２実行部、および
前記近接センサによって被検知物の近接が検知されたとき、前記第２実行部を無効化する無効化部を備える、携帯端末。
【請求項２】
前記第１タッチパネルに対応する第１機能キーおよび前記第２タッチパネルに対応する第２機能キーの少なくともいずれかを前記ディスプレイに表示するキー表示部をさらに備え、
前記第１実行部は、前記第１機能キーに対してタッチ入力がされたとき、前記第１機能を実行し、
前記第２実行部は、前記第２機能キーに対してタッチ入力がされたとき、前記第２機能を実行する、請求項１記載の携帯端末。
【請求項３】
前記第２機能キーは、前記第１機能キーに対して使用者から見て奥側に配置されるように表示される、請求項２記載の携帯端末。
【請求項４】
前記第２機能キーの機能を表す文字列は、前記第２機能キーの近傍に表示される、請求項２または請求項３記載の携帯端末。
【請求項５】
前記近接センサは、タッチセンサを含む、請求項１ないし４のいずれかに記載の携帯端末。
【請求項６】
筐体、両面が見えるように、前記筐体に設けられる透明なディスプレイ、前記ディスプレイに設けられた第１タッチパネル、前記ディスプレイにおいて、前記第１タッチパネルが設けられた側の裏側に設けられた第２タッチパネル、前記第１タッチパネルおよび前記第２タッチパネルとは異なり、前記筐体において前記第２タッチパネルが設けられる面に設けられる近接センサおよび前記第１タッチパネルおよび前記第２タッチパネルに対するタッチ入力を検出する検出部を有する、携帯端末のプロセッサを、
前記第１タッチパネルにタッチ入力がされたとき、第１機能を実行する第１実行部、
前記第２タッチパネルにタッチ入力がされたとき、第２機能を実行する第２実行部、および
前記近接センサによって被検知物の近接が検知されたとき、前記第２実行部を無効化する無効化部として機能させる、タッチパネル操作プログラム。
【請求項７】
筐体、両面が見えるように、前記筐体に設けられる透明なディスプレイ、前記ディスプレイに設けられた第１タッチパネル、前記ディスプレイにおいて、前記第１タッチパネルが設けられた側の裏側に設けられた第２タッチパネル、前記第１タッチパネルおよび前記第２タッチパネルとは異なり、前記筐体において前記第２タッチパネルが設けられる面に設けられる近接センサおよび前記第１タッチパネルおよび前記第２タッチパネルに対するタッチ入力を検出する検出部を有する、携帯端末におけるタッチパネル操作方法であって、前記携帯端末のプロセッサが、
前記第１タッチパネルにタッチ入力がされたとき、第１機能を実行する第１実行ステップ、
前記第２タッチパネルにタッチ入力がされたとき、第２機能を実行する第２実行ステップ、および
前記近接センサによって被検知物の近接が検知されたとき、前記第２実行ステップを無効化する無効化ステップを実行する、タッチパネル操作方法。
【発明の詳細な説明】
【技術分野】
【０００１】
この発明は、携帯端末、タッチパネル操作プログラムおよびタッチパネル操作方法に関し、特にタッチパネルによって操作することができる、携帯端末、タッチパネル操作プログラムおよびタッチパネル操作方法に関する。
【背景技術】
【０００２】
タッチパネルによって操作することができる携帯端末の一例が特許文献１に開示されている。特許文献１の携帯端末は、左右の側面および背面に設けられたセンサによって把持位置が判断される。そして、判断された把持位置に応じて、タッチディスプレイに表示されるキーの表示領域が決定される。
【０００３】
また、特許文献２の携帯電話では、タッチパネルとＬＣＤとからなる入力／表示部に複数のキーが表示され、使用者は特定のキーに対応した部分を押圧することで、情報を入力することができる。
【特許文献１】特開２０１０−１５４０９０号公報［H04M 1/00］
【特許文献２】特開２００１−４５１２４号公報［H04M 1/02, G06F 1/16］
【発明の概要】
【発明が解決しようとする課題】
【０００４】
特許文献１の携帯端末および特許文献２の携帯電話では、キーを表示する範囲に限界がある。そのため、キーの表示サイズを大きくすると、キーの操作性は良くなるが、表示できるキーの数が少なくなってしまう。一方、キーの表示サイズを小さくすると、表示できるキーの数は多くなるが、キーの操作性が悪くなってしまう。このように、特許文献１の携帯端末および特許文献２の携帯電話などでは、キー操作のために設けられたタッチパネルの操作性はあまりよくない。
【０００５】
それゆえに、この発明の主たる目的は、新規な、携帯端末、タッチパネル操作プログラムおよびタッチパネル操作方法を提供することである。
【０００６】
この発明の他の目的は、タッチパネルの操作性を向上させることができる、携帯端末、タッチパネル操作プログラムおよびタッチパネル操作方法を提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、筐体、両面が見えるように、筐体に設けられる透明なディスプレイ、ディスプレイに設けられた第１タッチパネル、ディスプレイにおいて、第１タッチパネルが設けられた側の裏側に設けられた第２タッチパネル、第１タッチパネルおよび第２タッチパネルとは異なり、筐体において第２タッチパネルが設けられる面に設けられる近接センサ、第１タッチパネルおよび第２タッチパネルに対するタッチ入力を検出する検出部、第１タッチパネルにタッチ入力がされたとき、第１機能を実行する第１実行部、第２タッチパネルにタッチ入力がされたとき、第２機能を実行する第２実行部、および近接センサによって被検知物の近接が検知されたとき、第２実行部を無効化する無効化部を備える、携帯端末である。
【０００９】
第１の発明では、携帯端末（１０：実施例において対応する部分を例示する参照符号。以下、同じ。）のディスプレイ（３０）は、何も表示されていない状態では透明であり、ディスプレイを通して背後を見ることができる。また、透明なディスプレイは、両面が見えるように筐体（Ｃ１，Ｃ３）に設けられる。たとえば、ディスプレイの表側には第１タッチパネル（３８ａ）が設けられ、その裏側には第２タッチパネル（３８ｂ）が設けられる。近接センサ（４０）は、筐体において第２タッチパネルが設けられる面に設けられる。また、近接センサは第１タッチパネルおよび第２タッチパネルとは異なっている。検出部（３６）は、ディスプレイの表裏に設けられた第１タッチパネルおよび第２タッチパネルに対するタッチ入力を検出する。第１実行部（２４，Ｓ３１）は、ディスプレイの表側に設けられた第１タッチパネルにタッチ入力がされると、第１機能（たとえば、電話機能など）を実行する。一方、第２実行部（２４，Ｓ３５）は、ディスプレイの裏側に設けられた第２タッチパネルにタッチ入力がされると、第２機能（たとえば、地図機能など）を実行する。無効化部（２４，Ｓ３）は、たとえば近接センサが覆い隠されるように携帯端末が持たれると、第２実行部を無効化する。
【００１０】
第１の発明によれば、ディスプレイの両面にタッチパネルを設けることで、各タッチパネルの操作性を向上させることができる。
また、誤操作が起きる可能性の高い状態で携帯端末が保持されても、誤操作を防ぐことができる。
【００１１】
第２の発明は、第１の発明に従属し、第１タッチパネルに対応する第１機能キーおよび第２タッチパネルに対応する第２機能キーの少なくともいずれかをディスプレイに表示するキー表示部をさらに備え、第１実行部は、第１機能キーに対してタッチ入力がされたとき、第１機能を実行し、第２実行部は、第２機能キーに対してタッチ入力がされたとき、第２機能を実行する。
【００１２】
第２の発明では、たとえば、キー表示部（２４，Ｓ２１）は電話機能などが対応付けられた第１機能キー（ＦＫ）および地図機能などが対応付けられた第２機能キー（ＢＫ）を表示する。そして、第１タッチパネルを利用して第１機能キーにタッチ入力が行われれば、第１機能が実行される。一方、第２タッチパネルを利用して第２機能キーにタッチ入力が行われれば、第２機能が実行される。
【００１３】
第２の発明によれば、狭い表示範囲に複数のキーを表示させても、ディスプレイの両面に設けた２つのタッチパネルを用いることで、各キーの操作性を向上させることができる。
【００１４】
第３の発明は、第２の発明に従属し、第２機能キーは、第１機能キーに対して使用者から見て奥側に配置されるように表示される。
【００１５】
第３の発明では、キー表示部は、たとえば第２機能キー（ＢＫ）の上に第１キー（ＦＫ）が重なるように、２つのキーを表示する。
【００１６】
第３の発明によれば、第１機能キーおよび第２機能キーに奥行きを持たせて表示することで、タッチ入力する面（方向）を、使用者に対して直感的に認識させることができる。
【００１７】
第４の発明は、第２の発明または第３の発明に従属し、第２機能キーの機能を表す文字列は、第２機能キーの近傍に表示される。
【００１８】
第４の発明によれば、使用者は、第２機能キーに対応付けられた機能を明確に認識することができる。
【００１９】
第５の発明は、第１の発明ないし第４の発明のいずれかに従属し、近接センサは、タッチセンサを含む。
【００２２】
第６の発明は、筐体（Ｃ１，Ｃ３）、両面が見えるように、筐体に設けられる透明なディスプレイ（３０）、ディスプレイに設けられた第１タッチパネル（３８ａ）、ディスプレイにおいて、第１タッチパネルが設けられた側の裏側に設けられた第２タッチパネル（３８ｂ）、第１タッチパネルおよび第２タッチパネルとは異なり、筐体において第２タッチパネルが設けられる面に設けられる近接センサ（４０）および第１タッチパネルおよび第２タッチパネルに対するタッチ入力を検出する検出部（３６）を有する、携帯端末（１０）のプロセッサ（２４）を、第１タッチパネルにタッチ入力がされたとき、第１機能を実行する第１実行部（Ｓ３１）、第２タッチパネルにタッチ入力がされたとき、第２機能を実行する第２実行部（Ｓ３５）、および近接センサによって被検知物の近接が検知されたとき、第２実行部を無効化する無効化部（Ｓ３）として機能させる、タッチパネル操作プログラムである。
【００２３】
第６の発明でも、第１の発明と同様、第１の発明によれば、ディスプレイの両面にタッチパネルを設けることで、各タッチパネルの操作性を向上させることができる。
また、誤操作が起きる可能性の高い状態で携帯端末が保持されても、誤操作を防ぐことができる。
【００２４】
第７の発明は、筐体（Ｃ１，Ｃ３）、両面が見えるように、筐体に設けられる透明なディスプレイ（３０）、ディスプレイに設けられた第１タッチパネル（３８ａ）、ディスプレイにおいて、第１タッチパネルが設けられた側の裏側に設けられた第２タッチパネル（３８ｂ）、第１タッチパネルおよび第２タッチパネルとは異なり、筐体において第２タッチパネルが設けられる面に設けられる近接センサ（４０）および第１タッチパネルおよび第２タッチパネルに対するタッチ入力を検出する検出部（３６）を有する、携帯端末（１０）におけるタッチパネル操作方法であって、携帯端末のプロセッサが、第１タッチパネルにタッチ入力がされたとき、第１機能を実行する第１実行ステップ（Ｓ３１）、第２タッチパネルにタッチ入力がされたとき、第２機能を実行する第２実行ステップ（Ｓ３５）、および近接センサによって被検知物の近接が検知されたとき、第２実行ステップを無効化する無効化ステップ（Ｓ３）を実行する、タッチパネル操作方法である。
【００２５】
第７の発明でも、第１の発明と同様、第１の発明によれば、ディスプレイの両面にタッチパネルを設けることで、各タッチパネルの操作性を向上させることができる。
また、誤操作が起きる可能性の高い状態で携帯端末が保持されても、誤操作を防ぐことができる。
【発明の効果】
【００２６】
この発明によれば、ディスプレイの両面にタッチパネルを設けることで、各タッチパネルの操作性を向上させることができる。
【００２７】
この発明の上述の目的、その他の目的、特徴および利点は、図面を参照して行う以下の実施例の詳細な説明から一層明らかとなろう。
【図面の簡単な説明】
【００２８】
【図１】図１はこの発明の一実施例の携帯電話機の電気的な構成を示す図解図である。
【図２】図２は図１に示す携帯電話機の第１実施例の外観の一例を示す図解図である。
【図３】図３は図２に示す携帯電話機の外観の他の一例を示す図解図である。
【図４】図４は図１に示すディスプレイに表示されるメニュー画面の一例を示す図解図である。
【図５】図５は図４に示すメニュー画面の表示に利用されるレイヤの一例を示す図解図である。
【図６】図６は図４に示すメニュー画面に描画される第１機能キーおよび第２機能キーのキー座標範囲の一例を示す図解図である。
【図７】図５は図４に示す第１機能キーおよび第２機能キーに対するタッチ操作の一例を示す図解図である。
【図８】図５は図４に示す第１機能キーおよび第２機能キーの他の一例を示す図解図である。
【図９】図９は図１に示すＲＡＭのメモリマップの一例を示す図解図である。
【図１０】図１０は図１に示す近接判定処理の一例を示すフロー図である。
【図１１】図１１は図１に示すタッチパネル操作処理の一例を示すフロー図である。
【図１２】図１２は図１に示す携帯電話機の第２実施例の外観の一例を示す図解図である。
【図１３】図１３は図１に示すディスプレイに表示されるメモ帳機能の入力画面の一例を示す図解図である。
【図１４】図１４は図１３に示すソフトキーのキー座標範囲の一例を示す図解図である。
【発明を実施するための形態】
【００２９】
＜第１実施例＞
図１を参照して、携帯電話機１０は、携帯端末の一種であり、コンピュータまたはＣＰＵと呼ばれるプロセッサ２４を含む。また、プロセッサ２４は、無線通信回路１４、Ａ／Ｄ変換器１６、Ｄ／Ａ変換器２０、キー入力装置２６、表示ドライバ２８、フラッシュメモリ３２、ＲＡＭ３４、タッチパネル制御回路３６、近接センサ４０および磁気センサ４２などが接続される。また、無線通信回路１４にはアンテナ１２が接続される。Ａ／Ｄ変換器１６にはマイク１８が接続され、Ｄ／Ａ変換器２０にはスピーカ２２が接続される。表示ドライバ２８には透明ディスプレイ３０が接続される。タッチパネル制御回路３６には、第１タッチパネル３８ａおよび第２タッチパネル３８ｂが接続される。なお、第１タッチパネル３８ａおよび第２タッチパネル３８ｂを区別する必要が無い場合は、まとめて「タッチパネル３８」と言う。
【００３０】
プロセッサ２４は、携帯電話機１０の全体制御を司る。ＲＡＭ３４は、プロセッサ２４の作業領域（描画領域を含む）ないしバッファ領域として用いられる。フラッシュメモリ３２には、アプリケーションのデータなどが記録される。
【００３１】
Ａ／Ｄ変換器１６は、マイク１８を通して入力される音声ないし音についてのアナログ音声信号を、デジタル音声信号に変換する。Ｄ／Ａ変換器２０は、デジタル音声信号をアナログ音声信号に変換（復号）して、図示しないアンプを介してスピーカ２２に与える。したがって、アナログ音声信号に対応する音声ないし音がスピーカ２２から出力される。また、プロセッサ２４は、アンプの増幅率を制御することで、スピーカ２２から出力される音声の音量を調整することができる。
【００３２】
キー入力装置２６は、通話キー、終話キーおよびメニューキーなどが含まれる。また、使用者が操作したキーの情報（キーデータ）はプロセッサ２４に入力される。
【００３３】
表示ドライバ２８は、プロセッサ２４の指示の下、当該表示ドライバ２８に接続された透明ディスプレイ３０の表示を制御する。また、表示ドライバ２８は表示する画像データを一時的に記憶するビデオメモリ（図示せず）を含む。
【００３４】
また、透明ディスプレイ３８は表示面が透明であるため、表示されていない状態では、使用者は透明ディスプレイ３０を通して背後を見ることができる。また、透明ディスプレイ３８に文字や、アイコンなどが表示されていたとしても、それらが表示されていな場所では、背後を見ることができる。なお、本実施例の透明ディスプレイ３０では表示された文字や、アイコンなどを認識できる面を「表側」と言い、その反対の面を「裏側」と言う。
【００３５】
タッチパネル３８は、指などの物体がタッチ面に接近して生じた電極間の静電容量の変化を検出する静電容量方式である。また、第１タッチパネル３８ａは透明ディスプレイ３０の表側に設けられ、第２タッチパネル３８ａは透明ディスプレイ３０の裏側に設けられている。そのため、第１タッチパネル３８ａは、その透明ディスプレイ３０の表側の表示内で、任意の位置を指示するためのポインティングデバイスであり、第２タッチパネル３８ｂは、透明ディスプレイ３０の裏側で、任意の位置を指示するためのポインティングデバイスである。
【００３６】
また、タッチパネル３８は、そのタッチ面を指で、押したり、撫でたり、触られたりするタッチ操作がされると、そのタッチ操作を検出する。そして、検出部として機能するタッチパネル制御回路３６は、タッチパネル３８に指などが触れると、触れた位置を特定し、その位置を示す座標データをプロセッサ２４に出力する。そして、タッチパネル制御回路３６は、第１タッチパネル３８ａにタッチ操作がされていれば、出力する座標データに「表側」であることを示す情報を付加する。一方、第２タッチパネル３８ｂにタッチ操作がされていれば、出力される座標データに「裏側」であることを示す情報が付加される。たとえば、座標データは（ｘ，ｙ，ｚ）で表すことができ、「ｘ，ｙ」は縦と横の位置を示し、「ｚ」は表裏を示す。そして、「ｚ」には、「１（表）」または「０（裏）」が設定される。
【００３７】
このように、使用者は、タッチパネル３８を指で、押したり、撫でたり、触れたりすることによって、タッチ操作の方向や図形などを携帯電話機１０に入力することができる。
【００３８】
ここで、使用者がタッチパネル３６の上面を指で触れる操作を「タッチ」と言うことにする。一方、タッチパネル３６から指を離す操作を「リリース」と言うことにする。また、タッチパネル３６の表面を撫でる操作を「スライド」と言うことにする。そして、本実施例のタッチ操作には、タッチ、リリースおよびスライドなどが含まれる。また、タッチによって示された座標を「タッチ点」（タッチ開始位置）、リリースによって示された座標を「リリース点」（タッチ終了位置）と言うことにする。
【００３９】
なお、タッチ操作は指だけに限らず、導電体が先端に取り付けられたタッチペンなどによって行われてもよい。また、タッチパネル３８の検出方式には、表面型の静電容量方式が採用されてもよいし、抵抗膜方式、超音波方式、赤外線方式および電磁誘導方式などであってもよい。
【００４０】
近接センサ４０は、静電容量方式のタッチセンサであり、使用者の指や顔などの接近（接触）を、静電容量の変化によって検知する。なお、他の実施例では、静電容量方式のタッチセンサを用いた近接センサ４０として、多数の電極パターンによる電流量の比率を計測することで指の近接を検知する投影型や、導電膜と基板とを有して構成され導電膜による均一な電界を形成することで指の近接を検知する表面型などを用いることができる。また、その他の実施例では、フォトダイオードを利用して近接センサが採用されてもよい。この場合、近接センサは、使用者の指や顔などの近接を光量の変化によって検知する。
【００４１】
磁気センサ４２は、磁石４４などが発する磁気を検出する。そして、プロセッサ２４は、磁気センサ４２の出力に基づいて、後述する「開状態」および「閉状態」を判断する。
【００４２】
無線通信回路１４は、ＣＤＭＡ方式での無線通信を行うための回路である。たとえば、使用者がキー入力装置２６を用いて電話発信（発呼）を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００４３】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ変換器２０によってアナログ音声信号に変換された後、スピーカ２２から出力される。一方、マイク１８を通して取り込まれた送話音声信号は、Ａ／Ｄ変換器１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００４４】
また、相手の電話機からの電話発信信号がアンテナ１２によって受信されると、無線通信回路１４は、電話着信（着呼）をプロセッサ２４に通知する。これに応じて、プロセッサ２４は、表示ドライバ２８を制御して、着信通知に記述された発信元情報（電話番号など）を透明ディスプレイ３０に表示する。また、これとほぼ同時に、プロセッサ２４は、図示しないスピーカから着信音（着信メロディ、着信音声と言うこともある。）を出力させる。
【００４５】
そして、使用者が通話キーを用いて応答操作を行うと、無線通信回路１４は、プロセッサ２４の指示の下、電話着信処理を実行する。さらに、通信可能状態が確立され、プロセッサ２４は上述した通常の通話処理を実行する。
【００４６】
また、通話可能状態に移行した後に終話キーによって通話終了操作が行われると、プロセッサ２４は、無線通信回路１４を制御して、通話相手に通話終了信号を送信する。そして、通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００４７】
なお、携帯電話機１０は、電話機能の他に、メールを送受信するメール機能、相手の電話番号やメールアドレスを管理するアドレス機能、ＨＰなどを閲覧するためのブラウザ機能、サーバから地図データを取得して表示する地図機能、テキストを編集するためのメモ帳機能、携帯電話機１０を電卓として利用するための電卓機能および設定した時刻を音や振動で通知するためのアラーム機能などを実行できる。
【００４８】
図２は携帯電話機１０の開状態の外観を示す図解図であり、図３（Ａ），（Ｂ）は携帯電話機１０の閉状態の外観を示す図解図である。図２を参照して、携帯電話機１０は、各々が平面矩形の第１筐体Ｃ１および第２筐体Ｃ２を有する。
【００４９】
図示しないマイク１６は、第２筐体Ｃ２に内蔵され、マイク１６に通じる開口ＯＰ１は第２筐体Ｃ２の縦方向一方の内側面に設けられる。同じく、図示しないスピーカ１８は、第１筐体Ｃ１に内蔵され、スピーカ１８に通じる開口ＯＰ２は、第１筐体Ｃ１の長さ方向一方の内側面に設けられる。
【００５０】
キー入力装置２６に含まれる複数のキーは第２筐体Ｃ２の内側面に設けられる。たとえば、キー入力装置２６は、十字キーや、通話キー、終話キー、メニューキーおよびテンキーなどを含む。透明ディスプレイ３０は、ガラス板が窓枠にはめ込まれるように、第１筐体Ｃ１にはめ込まれている。また、透明ディスプレイ３０の表側には第１タッチパネル３８ａが設けられる。なお、透明ディスプレイ３０がはめ込まれた状態では、その表示内容は第１筐体Ｃ１の内側面から視認できるが、外側面からでは視認できない。
【００５１】
たとえば、使用者は、透明ディスプレイ３０を確認しながら、テンキーを操作して電話番号を入力し、通話キーによって発呼操作を行うことができる。そして、使用者は、終話キーによって通話終了操作を行う。また、使用者は、メニューキーを操作することでメニュー画面を表示し、十字キーによって任意のメニューを選択することができる。さらに、使用者は、終話キーを長押しすることで携帯端末１０の電源をオン／オフする。そして、終話キーが短押しされると、待機状態を示す画像が透明ディスプレイ３０に表示され、携帯端末１０は待機状態となる。
【００５２】
また、磁気センサ４２は第１筐体Ｃ１の右上角に内蔵され、磁石４４は第２筐体Ｃ２の右下角に内蔵される。そして、閉状態では、磁気センサ４２に磁石４４が最も近い状態になる。したがって、閉状態では磁気センサ４２が出力する値が最大値となるため、携帯電話機１０が閉状態であると判断される。一方、閉状態から開状態に遷移するにつれて、磁気センサ４２が出力する値は小さくなる。そのため、磁気センサ４２から出力された値が閾値以下になれば、携帯電話機１０は開状態であると判断される。
【００５３】
また、第１筐体Ｃ１と第２筐体Ｃ２とは、ヒンジ機構Ｈによって結合されている。このヒンジ機構Ｈは、第１筐体Ｃ１の縦方向他方の側面に形成される。また、第２筐体Ｃ２は、縦方向他方の側面においてヒンジ機構Ｈと結合される。そして、ヒンジ機構Ｈは、第１筐体Ｃ２の短辺と平行な軸ＡＸを中心として、第２筐体Ｃ２に対して第１筐体Ｃ１を可動させる。つまり、軸ＡＸを中心とする回転により、第１筐体Ｃ１と第２筐体Ｃ２とが開閉する。また、ヒンジ機構Ｈは、開状態で第１筐体Ｃ１を任意の角度で保持するためのアシスト機構を含む。
【００５４】
図３（Ａ）は閉状態の携帯電話機１０の表の外観を示す図解図であり、図３（Ｂ）は開状態の携帯電話機１０の裏の外観を示す図解図である。図３（Ａ），（Ｂ）を参照して、第１筐体Ｃ１にはめ込まれた、透明ディスプレイ３０の裏側には第２タッチパネル３８ｂが設けられる。また、第１筐体Ｃ１のヒンジ機構Ｈの近くには、近接センサ４０が設けられる。
【００５５】
なお、アンテナ１２、無線通信回路１４、Ａ／Ｄ１６、Ｄ／Ａ２０、プロセッサ２４、表示ドライバ２４、フラッシュメモリ３２、ＲＡＭ３４およびタッチパネル制御回路３６などは、第１筐体Ｃ１または第２筐体Ｃ２に内蔵されており、図２および図３（Ａ），（Ｂ）では図示されない。
【００５６】
図４は携帯電話機１０の透明ディスプレイ３０にメニュー画面が表示されている状態を示す図解図である。また、透明ディスプレイ３０の表示は、日時、電池残量および受信状態などを表すアイコンを含む状態表示領域６０およびメニュー画面が表示される機能表示領域６２を含む。機能表示領域６２に表示されるメニュー画面には、電話機能キーＦＫ１、メール機能キーＦＫ２、アドレス機能キーＦＫ３およびブラウザ機能キーＦＫ４が含まれるとともに、地図機能キーＢＫ１、メモ帳機能キーＢＫ２、電卓機能キーＢＫ３およびアラーム機能キーＢＫ４も含まれる。
【００５７】
また、透明ディスプレイ３０の表示は複数のレイヤを利用して表示されている。たとえば、図５（Ａ），（Ｂ）を参照して、メニュー画面は、２つのレイヤ（最上層、最下層）を重ねることで表示されており、仮想空間において、視点側（使用者側）に最上層が設けられ、視点から離れる方向に最下層が配置される。また、図５（Ａ）に示す最上層には、電話機能キーＦＫ１、メール機能キーＦＫ２、アドレス機能キーＦＫ３およびブラウザ機能キーＦＫ４が描画される。さらに、図５（Ｂ）に示す最下層には、地図機能キーＢＫ１、メモ帳機能キーＢＫ２、電卓機能キーＢＫ３およびアラーム機能キーＢＫ４が描画される。また、最下層には、状態表示領域６０のアイコンも描画される。
【００５８】
なお、３枚以上のレイヤを利用してメニュー画面が表示されてもよい。また、メニュー画面以外の画面が透明ディスプレイ３０に表示される場合、最上層には何も描画されていなくてもよい。
【００５９】
また、以下の説明では、メニュー画面において最上層に描画されるキーをまとめて「第１機能キーＦＫ」と言い、最下層に描画されるキーをまとめて「第２機能キーＢＫ」と言う。
【００６０】
そして、本実施例では、第２機能キーＢＫの近傍（下側）に、第２機能キーに関連付けられた機能を示す文字列を表示することで、使用者が第２機能キーＢＫに対応付けられた機能を明確に認識することができるようにしている。ただし、他の実施例では、この文字列が第２機能キーの内部に表示されてもよい。
【００６１】
図６は、第１機能キーＦＫおよび第２機能キーＢＫのキー座標範囲ＴＡを示す図解図である。キー座標範囲ＴＡとは、キーに対するタッチ操作の有効範囲である。つまり、使用者は、キー座標範囲ＴＡ内でタッチ操作を行うことで、対応するキーと関連付けられた機能を実行させることができる。
【００６２】
図６を参照して、第１実施例では、第１機能キーＦＫおよび第２機能キーＢＫのキー座標範囲ＴＡは、同じ大きさ、同じ座標範囲である。そして、第１機能キーＦＫに対応する機能を実行する場合、使用者は、第１タッチパネル３８ａにおけるキー座標範囲ＴＡ内でタッチ操作を行えばよい。一方、第２機能キーＦＫに対応する機能を実行する場合、使用者は、第２タッチパネル３８ｂにおけるキー座標範囲ＴＡ内でタッチ操作を行えばよい。つまり、使用者は、透明ディスプレイ３０の両面（表裏）に設けられた２つのタッチパネル３８を使い分けることで、メニュー画面に表示される第１機能キーＦＫおよび第２機能キーＢＫのそれぞれにタッチ操作を行うことができる。
【００６３】
たとえば、図７（Ａ）を参照して、アドレス機能キーＦＫ３と電卓機能キーＢＫ３とのキー座標範囲ＴＡにおいて、透明ディスプレイ３０の表側（第１タッチパネル３８ａ）からタッチ操作がされると、アドレス機能が実行される。一方、図７（Ｂ）を参照して、アドレス機能キーＦＫ３と電卓機能キーＢＫ３とのキー座標範囲ＴＡにおいて、透明ディスプレイ３０の裏側（第２タッチパネル３８ｂ）からタッチ操作がされると、電卓機能が実行される。
【００６４】
このように、狭い表示範囲に複数のキーを表示させても、透明ディスプレイ３０の両面に設けた２つのタッチパネル３８を用いることで、各キーの操作性を向上させることができる。特に、第１実施例では、タッチ操作が行われる面を判別できるため、１つのキー座標範囲に２つの機能が関連付けられていても、使用者は任意の機能を実行させることができる。
【００６５】
また、使用者が、携帯電話機１０の第１筐体Ｃ１の外側面を覆い隠すように保持された場合、第２機能キーＢＫへの誤操作が懸念される。そこで、本実施例では、第１筐体Ｃ１の外側面に設けられた近接センサ４０が使用者の手の近接を検知した場合、第２機能キーＢＫへのタッチ操作を無効にする。これにより、誤操作が起きる可能性の高い状態で携帯電話機１０が保持されても、誤操作を防ぐことができる。
【００６６】
また、第１機能キーＦＫおよび第２機能キーＢＫに奥行きを持たせて表示することで、キーをタッチ操作する面（方向）を、使用者に直感的に認識させることができる。
【００６７】
また、透明ディスプレイ３０の両面にタッチパネル３８を設けることで、各タッチパネル３８の操作性を向上させることができる。
【００６８】
なお、他の実施例では、第１機能キーＦＫおよび第２機能キーＢＫに奥行きを付けずに描画してもよい。たとえば、図８（Ａ）に示すように、第１機能キーＦＫが上側に描画され、第２機能キーＢＫが下側に描画されてもよい。また、図８（Ｂ）に示すように、第１機能キーＦＫが左側に描画され、第２機能キーＢＫが右側に描画されてもよい。さらに、図８（Ｃ）に示すように、第１機能キーＦＫが左上に描画され、第２機能キーＢＫが右下に描画されてもよい。
【００６９】
また、図８（Ａ）−（Ｃ）の場合、各キーの描画範囲とキー座標範囲ＴＡとが一致していてもよい。この場合、裏側から第１機能キーＦＫのキー座標範囲ＴＡがタッチ操作されたとしても、第１機能キーＦＫに関連付けられた機能は実行されない。
【００７０】
また、メニュー画面に表示されるキーは、第１機能キーＦＢだけでもよい。この場合、１つの第１機能キーＦＢに対して２つの機能が関連付けられる。たとえば、電話機能と地図機能が１つの第１機能キーＦＢに関連付けられた場合、第１タッチパネル３８ａを利用してそのキーにタッチ操作がされると、電話機能が実行される。一方、第２タッチパネル３８ｂを利用してそのキーにタッチ操作がされると、地図機能が実行される。
【００７１】
また、第１機能キーＦＫおよび第２機能キーＢＫのそれぞれには、図４に示す４つのキーだけに限らず、５つ以上のキーが含まれていてもよい。
【００７２】
図９は、ＲＡＭ３０のメモリマップを示す図解図である。ＲＡＭ３４のメモリマップには、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶されてからプロセッサ２４によって処理される。
【００７３】
プログラム記憶領域３０２には、携帯電話機１０を動作させるためのプログラムが記憶されている。たとえば、携帯電話機１０を動作させるためのプログラムには、近接判定プログラム３１０およびタッチパネル操作プログラム３１２が含まれる。
【００７４】
近接判定プログラム３１０は、近接センサ４０の出力に基づいて、後述する近接フラグ３４４のオン／オフを切り替えるためのプログラムである。タッチパネル操作プログラム３１２は、タッチ操作が行われたタッチパネル３８を判定するためのプログラムである。また、このプログラムが実行されているときに、タッチ操作の位置がキー座標範囲に含まれていると判断されると、タッチ操作がされたキーに関連付けられた機能が実行される。
【００７５】
なお、図示は省略するが、携帯電話機１０を動作させるためのプログラムには、電卓機能などに対応するプログラムおよびネットワークを介して外部機器（サーバなど）との通信を確立するためのプログラムなどが含まれる。
【００７６】
続いて、データ記憶領域３０４には、第１タッチバッファ３３０および第２タッチバッファ３３２が設けられるとともに、タッチ座標マップデータ３３４、キー画像データ３３６およびキー座標範囲データ３３８が記憶される。また、データ記憶領域３０４には、第１タッチフラグ３４０、第２タッチフラグ３４２および近接フラグ３４４なども設けられる。
【００７７】
第１タッチバッファ３３０および第２タッチバッファ３３２には、第１タッチパネル３８ａおよび第２タッチパネル３８ｂに対するタッチ操作のタッチ点、リリース点および現在のタッチ位置を示すタッチ座標などが記憶される。
【００７８】
タッチ座標マップデータ３３４は、第１タッチバッファ３３０および第２タッチバッファに格納される座標を、透明ディスプレイ３０の表示座標に変換するためのデータである。キー画像データ３３６は、第１機能キーＦＫおよび第２機能キーＢＫなどを描画するための画像データである。キー座標範囲データ３３８は、メニュー画面に表示される、第１機能キーＦＫおよび第２機能キーＢＫそれぞれのキー座標範囲ＴＡを示すデータである。また、キー座標範囲データ３３８に含まれる各キー座標範囲ＴＡには、機能が関連付けられている。そのため、キー座標範囲データ３３８は、各キーへのタッチ操作の有効／無効の判断に利用されるだけでなく、実行する機能を決定するためにも利用される。
【００７９】
第１タッチフラグ３４０は、第１タッチパネル３８ａに対してタッチされているかを判断するためのフラグである。たとえば、第１タッチフラグ３４０は、１ビットのレジスタで構成される。第１タッチフラグ３４０がオン（成立）されると、レジスタにはデータ値「１」が設定される。一方、第１タッチフラグ３４０がオフ（不成立）されると、レジスタにはデータ値「０」が設定される。なお、第１タッチフラグ３４０は、タッチパネル制御回路３６が出力する信号に基づいてオン／オフが切り換えられる。
【００８０】
第２タッチフラグ３４２は、第２タッチパネル３８ｂに対してタッチされているかを判断するためのフラグである。また、近接フラグ３４４は、近接センサ４０が手や顔の近接を検知したかを判断するためのフラグである。そして、近接フラグ３４４のオン／オフは近接判定プログラム３１０の処理によって切り替えられる。
【００８１】
なお、第２タッチフラグ３４２および近接フラグ３４４の構成については、第１タッチフラグ３４０と同じであるため、詳細な説明は省略する。
【００８２】
また、図示は省略するが、データ記憶領域３０４には、待機状態で表示される画像データや、文字列のデータなどが記憶されると共に、携帯電話機１０の動作に必要なカウンタや、フラグも設けられる。
【００８３】
プロセッサ２４は、Ａｎｄｒｏｉｄ（登録商標）およびＲＥＸなどのＬｉｎｕｘ（登録商標）ベースのＯＳや、その他のＯＳの制御下で、図１０に示す近接判定処理および図１１に示すタッチパネル操作処理などを含む複数のタスクを並列的に処理する。
【００８４】
図１０は近接判定処理のフロー図である。たとえば、携帯電話機１０の電源がオンにされると、プロセッサ２４はステップＳ１で、近接が検知されているか否かを判断する。つまり、近接センサ４０から出力される値が変化したかを判断する。ステップＳ１で“ＹＥＳ”であれば、たとえば指などの近接が検知されると、ステップＳ３で近接フラグ３４４をオンにして、ステップＳ１に戻る。一方、ステップＳ１で“ＮＯ”であれば、たとえば指などの近接が検知されなければ、ステップＳ５で近接フラグ３４４をオフにして、ステップＳ１に戻る。なお、ステップＳ３の処理を実行するプロセッサ２４は無効化部として機能する。
【００８５】
図１１はタッチパネル操作処理のフロー図である。たとえば、メニュー画面を表示する操作がされると、ステップＳ２１で第１機能キーＦＫおよび第２機能キーＢＫを表示する。たとえば、図４に示すように電話機能キーＦＫ１や、地図機能キーＢＫ１などを、透明ディスプレイ３０に表示する。なお、ステップＳ２１の処理を実行するプロセッサ２４はキー表示部として機能する。
【００８６】
続いて、ステップＳ２３では、タッチされたか否かを判断する。つまり、タッチパネル３８に対してタッチ操作がされ、第１タッチフラグ３４０または第２タッチフラグ３４２がオンに切り替わったか否かを判断する。ステップＳ２３で“ＮＯ”であれば、つまりタッチパネル３８に対してタッチ操作がされていなければ、ステップＳ２３の処理が繰り返される。
【００８７】
ステップＳ２３で“ＹＥＳ”であれば、つまりタッチパネル３８に対してタッチ操作がされると、ステップＳ２５でタッチ座標を表示座標に変換する。つまり、タッチ座標マップデータ３３４に基づいて、第１タッチバッファ３３０または第２タッチバッファ３３２に格納されているタッチ座標を、透明ディスプレイ３０の表示座標に変換する。続いて、ステップＳ２７では、キー座標範囲ＴＡに含まれているか否かを判断する。つまり、ステップＳ２５の処理で変換された表示座標が、キー座標範囲データ３３８に含まれるキー座標範囲ＴＡに含まれているか否かを判断する。ステップＳ２７で“ＮＯ”であれば、たとえばタッチ操作が第１機能キーＦＫおよび第２機能キーＢＫが表示されていない位置にタッチ操作がされていれば、ステップＳ２３に戻る。
【００８８】
また、ステップＳ２７で“ＹＥＳ”であれば、たとえばアドレス機能キーＦＫ３または電卓機能キーＢＫ３のキー座標範囲ＴＡに、変換された表示座標が含まれていれば、ステップＳ２９で第１タッチパネル３８ａ側か否かを判断する。つまり、第１タッチフラグ３４０がオンであるか否かが判断される。ステップＳ２９で“ＹＥＳ”であれば、つまり第１タッチパネル３８ａに対してタッチ操作がされていれば、ステップＳ３１で第１機能キーＦＫに対応する処理を実行し、タッチパネル操作処理を終了する。つまり、キー座標範囲データ３３８に基づいて、タッチ操作がされたキーのキー座標範囲ＴＡと関連付けられた機能が実行される。なお、ステップＳ３１の処理を実行するプロセッサ２４は第１実行部として機能する。
【００８９】
また、ステップＳ２９で“ＮＯ”であれば、つまり第２タッチパネル３８ｂに対してタッチ操作がされていれば、ステップＳ３３で近接フラグ３４４がオンであるか否かを判断する。ステップＳ３３で“ＹＥＳ”であれば、たとえば図３（Ａ）に示す近接センサ４０が使用者の手によって覆い隠されていれば、第２タッチパネル３８ｂへのタッチ操作を無効にするためにステップＳ２３に戻る。一方、ステップＳ３３で“ＮＯ”であれば、つまり近接センサ４０によって指などの近接が検知されていなければ、ステップＳ３５で第２機能キーに対応する処理を実行し、タッチパネル操作処理を終了する。たとえば、図７（Ｂ）に示すように、電卓機能キーＢＫ３に対してタッチ操作がされていれば、キー座標範囲データ３３８に基づいて、電他機能が実行される。また、ステップＳ３５の処理を実行するプロセッサ２４は第２実行部として機能する。
【００９０】
なお、タッチパネル操作処理が実行されているときに終話キーが操作された場合、処理の流れに関係なく、タッチパネル操作処理は終了される。
【００９１】
＜第２実施例＞
第２実施例では、携帯電話機１０の形状はストレート型である。また、透明ディスプレイ３０には、ＱＷＥＲＴＹ配列のソフトキーが表示される。なお、第２実施例の携帯電話機１０は、第１実施例と略同じであるため、携帯電話機１０のＲＡＭ３４のメモリマップおよびフロー図などの説明は省略する。
【００９２】
まず、第２実施例の携帯電話機１０はストレート型であるため、開状態および閉状態が無い。そのため、第２実施例の携帯電話機１０の電気的な構成には、図１に示す磁気センサ４２および磁石４４は含まれない。
【００９３】
図１２（Ａ）は第２実施例の携帯電話機１０の表側面の外観を示す外観図であり、図１２（Ｂ）は第２実施例の携帯電話機１０の裏側面の外観を示す外観図である。図１２（Ａ）を参照して、携帯電話機１０は、平面矩形の第３筐体Ｃ３を有する。図示しないマイク１８は、第３筐体Ｃ３に内蔵され、内蔵されたマイク１８に通じる開口ＯＰ４は第３筐体Ｃ３の縦方向一方の表側面に設けられる。同じく、図示しないスピーカ２２は、第３筐体Ｃ３に内蔵され、内蔵されたスピーカ２２に通じる開口ＯＰ３は、第３筐体Ｃ３の縦方向他方の表側面に設けられる。透明ディスプレイ３０は、第１実施例と同様、第３筐体Ｃ３にはめ込まれている。そのため、この状態では、透明ディスプレイ３０の表示内容は第３筐体Ｃ３の表側面からは視認できるが、裏側面からでは視認できない。そして、透明ディスプレイ３０の表側には第１タッチパネル３８ａが設けられる。キー入力装置２６は、通話キー、メニューキーおよび終話キーを含む。そして、これらのキーは第３筐体Ｃ３の表側面に設けられる。
【００９４】
また、図１２（Ｂ）を参照して、第３筐体Ｃ３にはめ込まれた、透明ディスプレイ３０の裏側には第２タッチパネル３８ｂが設けられる。また、第３筐体Ｃ３の縦方向一方の裏側面には近接センサ４０が設けられる。
【００９５】
たとえば、使用者は、透明ディスプレイ３０に表示されたダイヤルキーに対して、タッチ操作を行うことで電話番号を入力し、通話キーによって音声発信操作を行う。そして、使用者は、通話が終了すると、終話キーによって通話終了操作を行う。また、使用者は、メニューキーを操作することで、透明ディスプレイ３０にメニュー画面を表示する。さらに、使用者は、透明ディスプレイ３０に表示されたソフトキーなどに対してタッチ操作を行うことで、メニューの選択や確定を行う。そして、使用者は、終話キーを長押しすることで携帯電話機１０の電源をオン／オフする。
【００９６】
なお、アンテナ１２、無線通信回路１４、Ａ／Ｄ１６、Ｄ／Ａ２０、プロセッサ２４、表示ドライバ２８、フラッシュメモリ３２、ＲＡＭ３４およびタッチパネル制御回路３６は第３筐体Ｃ３に内蔵されているため、図１２（Ａ），（Ｂ）では図示されない。
【００９７】
図１３は、メモ帳機能が実行されたときの表示の一例を示す図解図である。図１３を参照して、メモ帳機能が実行された状態の透明ディスプレイ３０の表示領域は、第１実施例と同様、状態表示領域６０および機能表示領域６２を含む。また、メモ帳機能が実行された状態の機能表示領域６２には、入力文字表示領域６４およびソフトキー表示領域６６がさらに含まれる。入力文字表示領域６４には、現在の入力位置（編集位置）を示すカーソルＣＵが表示される。また、ソフトキー表示領域６６には、ＱＷＥＲＴＹ配列の文字入力キーを含む、ソフトキー群６８が表示されている。また、プロセッサ２４は、文字入力キーに対応するキー座標範囲ＴＡ内にタッチ操作がされると、そのキーに対応する文字をカーソルＣＵの位置に基づいて表示する。
【００９８】
図１４は文字入力キーの一部のキー座標範囲ＴＡを示す図解図である。図１４を参照して、キー座標範囲ＴＡ１にはＱキーおよびＷキーが対応しており、キー座標範囲ＴＡ２にはＥキーおよびＲキーが対応しており、キー座標範囲ＴＡ３にはＡキーおよびＳキーが対応しており、キー座標範囲ＴＡ４にはＤキーおよびＦキーが対応している。そして、第２実施例では、各キー座標範囲ＴＡの左側の文字を入力する場合、使用者は、第１タッチパネル３８ａにおけるキー座標範囲ＴＡ内でタッチ操作を行えばよい。一方、右側の文字を入力する場合、使用者は、第２タッチパネル３８ｂにおけるキー座標範囲ＴＡ内でタッチ操作を行えばよい。
【００９９】
たとえば、キー座標範囲ＴＡ１に対して、透明ディスプレイ３０の表側（第１タッチパネル３８ａ）からタッチ操作がされると、「Ｑ」が入力される。一方、透明ディスプレイ３０の裏側（第１タッチパネル３８ａ）からタッチ操作がされると、「Ｗ」が入力される。
【０１００】
このように、第２実施例でも、１つのキー座標範囲に対して２つの文字入力キーを対応付けることで、文字を入力するときの操作性を向上させることができる。
【０１０１】
また、第２実施例では、１つのキー座標範囲ＴＡに、ＱキーとＷキーとのように横に並んだ２つのキーを対応させたが、他の実施例ではこの限りではない。たとえば、ＱキーとＡキーとのように縦に並んだ２つのキーが、１つのキー座標範囲に対応付けられてもよい。あるいは、縦および横ではなく、近傍にある２つのキーが１つのキー座標範囲に対応付けられてもよい。
【０１０２】
また、その他の実施例では、１つのキーを中心として、その周囲に存在するキーを、第１タッチパネル３８ａおよび第２タッチパネル３８ｂとで操作してもよい。たとえば、「Ｓ」が第１タッチパネル３８ａから入力されるようにすれば、「Ａ」、「Ｗ」、「Ｄ」および「Ｘ」は第２タッチパネル３８ｂから入力されるようになる。この場合、各キーのキー座標範囲は、第１タッチパネル３８ａと第２タッチパネル３８ｂとで格子状に設定される。
【０１０３】
つまり、その他の実施例では、中心のキーと周囲（この場合、上下左右）のキーとのキー座標範囲は、各キーの表示範囲より大きくすることができる。たとえば、各キーのキー座標範囲が第１タッチパネル３８ａと第２タッチパネル３８ｂとで格子状に互い違いになっているため、第１タッチパネル３８ａの操作範囲と第２タッチパネル３８ｂとの操作範囲が重なるように、各キーのキー座標範囲が各キーの表示範囲より大きく設定されてもよい。
【０１０４】
なお、第１実施例と第２実施例とは、任意に組み合わせることが可能であり、具体的な組み合わせについては容易に想像できるので、詳細な説明は省略する。
【０１０５】
また、透明ディスプレイ３０に代えて、３Ｄ画像を表示できる透明３Ｄディスプレイを採用し、第１機能キーＦＫおよび第２機能キーＢＫの奥行きの違いを明確にしてもよい。
【０１０６】
また、携帯電話機１０の通信方式はＣＤＭＡ方式であるが、ＬＴＥ（Ｌｏｎｇ  Ｔｅｒｍ  Ｅｖｏｌｕｔｉｏｎ）方式、Ｗ−ＣＤＭＡ方式、ＧＳＭ方式、ＴＤＭＡ方式、ＦＤＭＡ方式およびＰＨＳ方式などが採用されてもよい。
【０１０７】
また、本実施例で用いられた複数のプログラムは、データ配信用のサーバのＨＤＤに記憶され、ネットワークを介して携帯電話機１０に配信されてもよい。また、ＣＤ，ＤＶＤ，ＢＤ（Ｂｌｕ−ｒａｙ  Ｄｉｓｃ）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、複数のプログラムが本実施例と同等の構成の携帯電話機にインストールされた場合、本実施例と同等の効果が得られる。
【０１０８】
さらに、本実施例は、携帯電話機１０のみに限らず、いわゆるスマートフォンおよびＰＤＡなどに適用されてもよい。
【符号の説明】
【０１０９】
１０    …  携帯電話機
２４    …  プロセッサ
２６    …  キー入力装置
３２    …  フラッシュメモリ
３４    …  ＲＡＭ
３６    …  タッチパネル制御回路
３８ａ    …  第１タッチパネル
３８ｂ    …  第２タッチパネル
４０    …  近接センサ
【図１】
0005784960.tif 000002
【図２】
0005784960.tif 000003
【図３】
0005784960.tif 000004
【図４】
0005784960.tif 000005
【図５】
0005784960.tif 000006
【図６】
0005784960.tif 000007
【図７】
0005784960.tif 000008
【図８】
0005784960.tif 000009
【図９】
0005784960.tif 000010
【図１０】
0005784960.tif 000011
【図１１】
0005784960.tif 000012
【図１２】
0005784960.tif 000013
【図１３】
0005784960.tif 000014
【図１４】
0005784960.tif 000015